(57)【要約】【課題】利便性良好に設定項目を選択する。【解決手段】ＨＤＤレコーダ１のメモリ１７は、アイコン情報を予め格納するアイコン記憶部１７１を備え、マイクロプロセッサ１１は、リモコン２を介してユーザから各種設定を行うメニュー画面を表示する旨の操作入力を受け付けて、階層構造化された複数の設定項目の内、最上位の階層にある設定項目に対応するアイコンを、アイコン記憶部１７１から読み出して、予め設定された順序に従って、選択可能にディスプレイ４に表示する表示制御部１１１と、メニュー画面及びリモコン２を介して、ユーザからの操作入力を受け付け、受け付けられた操作入力に基づいて、設定項目の選択を受け付ける設定項目選択部１１２と、を備えている。【選択図】図２
2008217540.tif 000002
【特許請求の範囲】
【請求項１】
映像情報をＤＶＤ及びＨＤＤに記録すると共に、ＤＶＤ又はＨＤＤに格納された映像情報を再生しモニタに表示するＨＤＤレコーダであって、
アイコン情報を予め格納するアイコン記憶手段と、
外部から各種設定を行うメニュー画面を表示する旨の操作入力を受け付けて、階層構造化された複数の設定項目の内、最上位の階層にある設定項目に対応するアイコンを、前記アイコン記憶手段から読み出して、予め設定された順序に従って、選択可能にモニタに表示する表示制御手段と、
前記メニュー画面を介して、外部からの操作入力を受け付け、受け付けられた操作入力に基づいて、設定項目の選択を受け付ける設定項目選択手段と、
前記設定項目選択手段によって選択された設定項目が含まれる最上位の階層にある１の設定項目の識別情報を格納する選択項目記憶手段と、
前記設定項目選択手段によって、設定項目の選択が受け付けられた場合に、選択された設定項目が含まれる最上位の階層にある１の設定項目の識別情報を前記選択項目記憶手段に格納する選択項目更新手段と、
前記最上位の階層にある設定項目毎に、選択された回数を示す回数情報を格納する回数記憶手段と、
前記設定項目選択手段によって、設定項目の選択が受け付けられた場合に、選択された設定項目に対応する回数情報を更新し、前記回数記憶手段に格納する回数更新手段と、
を備え、
前記表示制御手段は、前記選択項目記憶手段に格納された１の設定項目に対応するアイコンを、前記メニュー画面の略中央位置に表示すると共に、前記最上位の階層にある設定項目に対応するアイコンを、前記回数記憶手段に格納された回数情報が大きい順に、前記メニュー画面の予め設定された位置に、選択可能にモニタに表示することを特徴とするＨＤＤレコーダ。
【請求項２】
ＤＶＤを含む記録媒体に格納された映像情報を再生しモニタに表示する映像情報再生装置であって、
アイコン情報を予め格納するアイコン記憶手段と、
外部から各種設定を行うメニュー画面を表示する旨の操作入力を受け付けて、階層構造化された複数の設定項目の内、最上位の階層にある設定項目に対応するアイコンを、前記アイコン記憶手段から読み出して、予め設定された順序に従って、選択可能にモニタに表示する表示制御手段と、
前記メニュー画面を介して、外部からの操作入力を受け付け、受け付けられた操作入力に基づいて、設定項目の選択を受け付ける設定項目選択手段と、
を備えることを特徴とする映像情報再生装置。
【請求項３】
前記設定項目選択手段によって選択された設定項目が含まれる最上位の階層にある１の設定項目の識別情報を格納する選択項目記憶手段と、
前記設定項目選択手段によって、設定項目の選択が受け付けられた場合に、選択された設定項目が含まれる最上位の階層にある１の設定項目の識別情報を前記選択項目記憶手段に格納する選択項目更新手段と、
を備え、
前記表示制御手段は、前記選択項目記憶手段に格納された１の設定項目に対応するアイコンを、前記メニュー画面の予め設定された位置に表示することを特徴とする請求項２に記載の映像情報再生装置。
【請求項４】
前記表示制御手段は、前記選択項目記憶手段に格納された１の設定項目に対応するアイコンを、前記メニュー画面の略中央位置に表示することを特徴とする請求項３に記載の映像情報再生装置。
【請求項５】
前記最上位の階層にある設定項目毎に、選択された回数を示す回数情報を格納する回数記憶手段と、
前記設定項目選択手段によって、設定項目の選択が受け付けられた場合に、選択された設定項目に対応する回数情報を更新し、前記回数記憶手段に格納する回数更新手段と、
を備え、
前記表示制御手段は、前記最上位の階層にある設定項目に対応するアイコンを、前記回数記憶手段に格納された回数情報が大きい順に、前記メニュー画面の予め設定された位置に、選択可能にモニタに表示することを特徴とする請求項２〜請求項４のいずれかに記載の映像情報再生装置。
【発明の詳細な説明】
【技術分野】
【０００１】
本発明は、ＤＶＤを含む記録媒体に格納された映像情報を再生しモニタに表示する映像情報再生装置に関する。特に、映像情報をＤＶＤ及びＨＤＤに記録すると共に、ＤＶＤ又はＨＤＤに格納された映像情報を再生しモニタに表示するＨＤＤレコーダに関する。
【背景技術】
【０００２】
近年、映像情報をＤＶＤ（Ｄｉｇｉｔａｌ  Ｖｅｒｓａｔｉｌｅ  Ｄｉｓｋ）及びＨＤＤ（Ｈａｒｄ  Ｄｉｓｋ  Ｄｒｉｖｅ）に記録すると共に、ＤＶＤ又はＨＤＤに格納された映像情報を再生しモニタに表示するＨＤＤレコーダ等の映像情報再生装置が普及している。このようなＨＤＤレコーダにおいては、時計機能、受信チャンネル等の初期設定、録画された映像情報の再生（又は編集）に関する設定等の種々の項目を設定する必要があるため、各種設定を利便性良好に行うための種々の装置及び方法が提案されている。
【０００３】
例えば、ＤＶＤに記録された画像を、ＤＶＤの再生の際のメニュー画面において利用できるデータ記録再生装置が開示されている（特許文献１参照）。このデータ記録再生装置によれば、ユーザ自身が撮影した画像をメニュー画面において利用することが可能となり、利便性を向上することができる。
【特許文献１】特開２００６−１１５４０９号公報
【発明の開示】
【発明が解決しようとする課題】
【０００４】
しかしながら、上記データ記録再生装置等の従来の映像情報再生装置においては、メニュー画面の設定項目は、文字情報に限定されており、ユーザが設定項目を選択することが困難な場合があった。すなわち、上述のように、ユーザは多数の設定項目の中から、１の設定項目を選択する必要があるため、設定項目は複数の階層（例えば、３階層）に階層構造化されて分類されているが、設定項目を選択する場合には、その設定項目が含まれる最上位の階層にある設定項目を選択する必要があり、その最上位の階層にある設定項目が文字情報として表示されるので、利便性良好に設定項目を選択することが困難な場合があった。
【０００５】
上記の課題に鑑みて、本発明は、利便性良好に設定項目を選択することの可能な映像情報再生装置及びＨＤＤレコーダを提供することを目的としている。
【課題を解決するための手段】
【０００６】
上記目的を達成するために請求項１に記載のＨＤＤレコーダは、映像情報をＤＶＤ及びＨＤＤに記録すると共に、ＤＶＤ又はＨＤＤに格納された映像情報を再生しモニタに表示するＨＤＤレコーダであって、アイコン情報を予め格納するアイコン記憶手段と、外部から各種設定を行うメニュー画面を表示する旨の操作入力を受け付けて、階層構造化された複数の設定項目の内、最上位の階層にある設定項目に対応するアイコンを、前記アイコン記憶手段から読み出して、予め設定された順序に従って、選択可能にモニタに表示する表示制御手段と、前記メニュー画面を介して、外部からの操作入力を受け付け、受け付けられた操作入力に基づいて、設定項目の選択を受け付ける設定項目選択手段と、前記設定項目選択手段によって選択された設定項目が含まれる最上位の階層にある１の設定項目の識別情報を格納する選択項目記憶手段と、前記設定項目選択手段によって、設定項目の選択が受け付けられた場合に、選択された設定項目が含まれる最上位の階層にある１の設定項目の識別情報を前記選択項目記憶手段に格納する選択項目更新手段と、前記最上位の階層にある設定項目毎に、選択された回数を示す回数情報を格納する回数記憶手段と、前記設定項目選択手段によって、設定項目の選択が受け付けられた場合に、選択された設定項目に対応する回数情報を更新し、前記回数記憶手段に格納する回数更新手段と、を備え、前記表示制御手段が、前記選択項目記憶手段に格納された１の設定項目に対応するアイコンを、前記メニュー画面の略中央位置に表示すると共に、前記最上位の階層にある設定項目に対応するアイコンを、前記回数記憶手段に格納された回数情報が大きい順に、前記メニュー画面の予め設定された位置に、選択可能にモニタに表示することを特徴としている。
【０００７】
請求項２に記載の映像情報再生装置は、ＤＶＤを含む記録媒体に格納された映像情報を再生しモニタに表示する映像情報再生装置であって、アイコン情報を予め格納するアイコン記憶手段と、外部から各種設定を行うメニュー画面を表示する旨の操作入力を受け付けて、階層構造化された複数の設定項目の内、最上位の階層にある設定項目に対応するアイコンを、前記アイコン記憶手段から読み出して、予め設定された順序に従って、選択可能にモニタに表示する表示制御手段と、前記メニュー画面を介して、外部からの操作入力を受け付け、受け付けられた操作入力に基づいて、設定項目の選択を受け付ける設定項目選択手段と、を備えることを特徴としている。
【０００８】
請求項３に記載の映像情報再生装置は、請求項２に記載の映像情報再生装置であって、前記設定項目選択手段によって選択された設定項目が含まれる最上位の階層にある１の設定項目の識別情報を格納する選択項目記憶手段と、前記設定項目選択手段によって、設定項目の選択が受け付けられた場合に、選択された設定項目が含まれる最上位の階層にある１の設定項目の識別情報を前記選択項目記憶手段に格納する選択項目更新手段と、を備え、前記表示制御手段が、前記選択項目記憶手段に格納された１の設定項目に対応するアイコンを、前記メニュー画面の予め設定された位置に表示することを特徴としている。
【０００９】
請求項４に記載の映像情報再生装置は、請求項３に記載の映像情報再生装置であって、前記表示制御手段が、前記選択項目記憶手段に格納された１の設定項目に対応するアイコンを、前記メニュー画面の略中央位置に表示することを特徴としている。
【００１０】
請求項５に記載の映像情報再生装置は、請求項２〜請求項４のいずれかに記載の映像情報再生装置であって、前記最上位の階層にある設定項目毎に、選択された回数を示す回数情報を格納する回数記憶手段と、前記設定項目選択手段によって、設定項目の選択が受け付けられた場合に、選択された設定項目に対応する回数情報を更新し、前記回数記憶手段に格納する回数更新手段と、を備え、前記表示制御手段が、前記最上位の階層にある設定項目に対応するアイコンを、前記回数記憶手段に格納された回数情報が大きい順に、前記メニュー画面の予め設定された位置に、選択可能にモニタに表示することを特徴としている。
【発明の効果】
【００１１】
請求項１に記載のＨＤＤレコーダによれば、アイコン情報が予めアイコン記憶手段に格納されており、外部から各種設定を行うメニュー画面を表示する旨の操作入力が受け付けられて、階層構造化された複数の設定項目の内、最上位の階層にある設定項目に対応するアイコンが、アイコン記憶手段から読み出されて、予め設定された順序に従って、選択可能にモニタに表示される。そして、メニュー画面を介して、外部からの操作入力が受け付けられ、受け付けられた操作入力に基づいて、設定項目の選択が受け付けるため、利便性良好に各種設定を行うことができる。
【００１２】
すなわち、メニュー画面として、階層構造化された複数の設定項目の内、最上位の階層にある設定項目に対応するアイコンが、予め設定された順序に従って、選択可能にモニタに表示されるため、メニュー画面での設定項目の選択が容易となるので、利便性良好に各種設定を行うことができるのである。
【００１３】
また、設定項目の選択が受け付けられた場合に、選択された設定項目が含まれる最上位の階層にある１の設定項目の識別情報が選択項目記憶手段に格納され、選択項目記憶手段に格納された１の設定項目に対応するアイコンが、メニュー画面の略中央位置に表示されるため、更に利便性良好に各種設定を行うことができる。
【００１４】
すなわち、メニュー画面を介して前回行われた設定操作において選択された設定項目が含まれる最上位の階層にある１の設定項目に対応するアイコンが、メニュー画面の略中央位置に表示されるため、再度同じ設定項目を選択する場合に、設定項目の選択が容易となるので、更に利便性良好に設定項目を選択することができるのである。
【００１５】
更に、最上位の階層にある設定項目毎に、選択された回数を示す回数情報が回数記憶手段に格納されると共に、設定項目の選択が受け付けられた場合に、選択された設定項目に対応する回数情報が更新され、回数記憶手段に格納される。そして、最上位の階層にある設定項目に対応するアイコンが、回数記憶手段に格納された回数情報が大きい順に、メニュー画面の予め設定された位置に、選択可能にモニタに表示されるため、更に利便性良好に設定項目を選択することができる。
【００１６】
すなわち、最上位の階層にある設定項目に対応するアイコンが、使用頻度を示す回数情報が大きい順に（＝使用頻度が高い順に）、メニュー画面の予め設定された位置に、選択可能にモニタに表示されるため、使用頻度の高い項目に対応するアイコンを、メニュー画面において選択の容易な位置に表示することによって、使用頻度の高い項目を容易に選択することができるので、更に利便性良好に設定項目を選択することができるのである。
【００１７】
請求項２に記載の映像情報再生装置によれば、アイコン情報が予めアイコン記憶手段に格納されており、外部から各種設定を行うメニュー画面を表示する旨の操作入力が受け付けられて、階層構造化された複数の設定項目の内、最上位の階層にある設定項目に対応するアイコンが、アイコン記憶手段から読み出されて、予め設定された順序に従って、選択可能にモニタに表示される。そして、メニュー画面を介して、外部からの操作入力が受け付けられ、受け付けられた操作入力に基づいて、設定項目の選択が受け付けるため、利便性良好に設定項目を選択することができる。
【００１８】
すなわち、メニュー画面として、階層構造化された複数の設定項目の内、最上位の階層にある設定項目に対応するアイコンが、予め設定された順序に従って、選択可能にモニタに表示されるため、メニュー画面での設定項目の選択が容易となるので、利便性良好に設定項目を選択することができるのである。
【００１９】
請求項３に記載の映像情報再生装置によれば、設定項目の選択が受け付けられた場合に、選択された設定項目が含まれる最上位の階層にある１の設定項目の識別情報が選択項目記憶手段に格納され、選択項目記憶手段に格納された１の設定項目に対応するアイコンが、メニュー画面の予め設定された位置に表示されるため、更に利便性良好に設定項目を選択することができる。
【００２０】
すなわち、メニュー画面を介して前回行われた設定操作において選択された設定項目が含まれる最上位の階層にある１の設定項目に対応するアイコンが、メニュー画面の予め設定された位置に表示されるため、再度同じ設定項目を選択する場合に、設定項目の選択が容易となるので、更に利便性良好に設定項目を選択することができるのである。
【００２１】
請求項４に記載の映像情報再生装置によれば、選択項目記憶手段に格納された１の設定項目に対応するアイコンが、メニュー画面の略中央位置に表示されるため、更に利便性良好に設定項目を選択することができる。
【００２２】
すなわち、メニュー画面を介して前回行われた設定操作において選択された設定項目が含まれる最上位の階層にある１の設定項目に対応するアイコンが、メニュー画面の略中央位置に表示されるため、再度同じ設定項目を選択する場合に、設定項目の選択が容易となるので、更に利便性良好に設定項目を選択することができるのである。
【００２３】
請求項５に記載の映像情報再生装置によれば、最上位の階層にある設定項目毎に、選択された回数を示す回数情報が回数記憶手段に格納されると共に、設定項目の選択が受け付けられた場合に、選択された設定項目に対応する回数情報が更新され、回数記憶手段に格納される。そして、最上位の階層にある設定項目に対応するアイコンが、回数記憶手段に格納された回数情報が大きい順に、メニュー画面の予め設定された位置に、選択可能にモニタに表示されるため、更に利便性良好に設定項目を選択することができる。
【００２４】
すなわち、最上位の階層にある設定項目に対応するアイコンが、使用頻度を示す回数情報が大きい順に（＝使用頻度が高い順に）、メニュー画面の予め設定された位置に、選択可能にモニタに表示されるため、使用頻度の高い項目に対応するアイコンを、メニュー画面において選択の容易な位置に表示することによって、使用頻度の高い項目を容易に選択することができるので、更に利便性良好に設定項目を選択することができるのである。
【発明を実施するための最良の形態】
【００２５】
以下に本発明の実施形態を、図面を参照しながら説明する。図１は、本発明に係るＨＤＤレコーダの構成の一例を示すブロック図である。ＨＤＤレコーダ１（＝ＨＤＤ搭載ＤＶＤレコーダ：映像情報再生装置に相当する）は、映像情報をＤＶＤ１００及びＨＤＤ２００に記録すると共に、ＤＶＤ１００又はＨＤＤ２００に格納された映像情報を再生しディスプレイ４に表示するものであって、マイクロプロセッサ１１、光ピックアップ１２、ＲＦ回路１３、外部インターフェイス１４、インターフェイス１５、表示部１６、メモリ１７、赤外線信号受信部１８、及び、ＨＤＤ駆動部１９を備えている。
【００２６】
マイクロプロセッサ１１は、ＨＤＤレコーダ１全体の動作を制御するものであって、例えば、リモコン２からの操作信号を、赤外線信号受信部１８を介して受信して、受信された操作信号に対応するコマンド情報を生成してテレビ受信器３に対して送信するものである。
【００２７】
ここで、リモコン２（表示制御手段の一部、設定項目選択手段の一部に相当する）は、種々のキーを備え、ユーザからの操作入力を受け付けて、操作入力に対応する赤外線信号を生成して、ＨＤＤレコーダ１に対して出力するものである。
【００２８】
また、テレビ受信器３は、ディスプレイ４と通信可能に接続されると共に、テレビジョン放送を受信するものである。更に、テレビ受信器３は、受信した映像情報をＨＤＤレコーダ１へ出力すると共に、ＨＤＤレコーダ１からの映像情報をディスプレイ４に表示するものである。
【００２９】
ディスプレイ４（モニタに相当する）は、ＬＣＤ（Ｌｉｑｕｉｄ  Ｃｒｙｓｔａｌ  Ｄｉｓｐｌａｙ）等を備え、外部から視認可能に種々の情報を表示するものである。
【００３０】
光ピックアップ１２は、ＤＶＤ１００に対してレーザビームを照射してデータの書き込み（ＲＥＣ＝記録）及び読み出し（ＰＬＡＹ＝再生）を行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。インターフェイス１５は、テレビ受信器３との間で映像情報、コマンド情報等の種々の情報送受信を行うものである。
【００３１】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、ＲＡＭ（Ｒａｎｄｏｍ  Ａｃｃｅｓｓ  Ｍｅｍｏｒｙ）等からなり、映像情報、音声情報、制御情報等の種々の情報を格納するものである。赤外線信号受信部１８は、リモコン２から送信された赤外線信号を受信するものである。ＨＤＤ駆動部１９は、ＨＤＤ２００に対してデータの書き込み（ＲＥＣ＝記録）及び読み出し（ＰＬＡＹ＝再生）を行わせるものである。
【００３２】
図２は、本発明に係るＨＤＤレコーダ１における主要部の構成の一例を示す機能構成図である。マイクロプロセッサ１１は、機能的に、表示制御部１１１、設定項目選択部１１２、選択項目更新部１１３、及び、回数更新部１１４を備え、メモリ１７は、機能的に、アイコン記憶部１７１、選択項目記憶部１７２、及び、回数記憶部１７３を備えている。
【００３３】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、表示制御部１１１、設定項目選択部１１２、選択項目更新部１１３、回数更新部１１４等の機能部として機能すると共に、メモリ１７を、アイコン記憶部１７１、選択項目記憶部１７２、回数記憶部１７３等の機能部として機能させるものである。
【００３４】
また、メモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３５】
アイコン記憶部１７１（アイコン記憶手段に相当する）は、アイコン情報を予め格納するものである。具体的には、アイコン記憶部１７１は、各種設定を行うメニュー画面において、階層構造化された複数の設定項目の内、最上位の階層にある設定項目に対応するアイコンの画像情報を、最上位の階層にある設定項目の識別情報と対応付けて予め格納するものである。
【００３６】
選択項目記憶部１７２（選択項目記憶手段に相当する）は、設定項目選択部１１２によって選択された設定項目が含まれる最上位の階層にある１の設定項目の識別情報を格納するものである。なお、選択項目記憶部１７２に格納される１の設定項目の識別情報は、選択項目更新部１１３によって更新されるものである。
【００３７】
回数記憶部１７３（回数記憶手段に相当する）は、最上位の階層にある設定項目毎に、選択された回数を示す回数情報を格納するものである。なお、回数記憶部１７３に格納される回数情報は、回数更新部１１４によって更新されるものである。
【００３８】
表示制御部１１１（表示制御手段の一部に相当する）は、リモコン２を介して、ユーザから各種設定を行うメニュー画面を表示する旨の操作入力（例えば、リモコン２に配設されたメニューキーの押下）を受け付けて、階層構造化された複数の設定項目の内、最上位の階層にある設定項目に対応するアイコンを、アイコン記憶部１７１から読み出して、予め設定された順序に従って、選択可能にディスプレイ４に表示するものである。
【００３９】
また、表示制御部１１１は、選択項目記憶部１７２に格納された１の設定項目に対応するアイコンを、メニュー画面の略中央位置に表示すると共に、最上位の階層にある設定項目に対応するアイコン（＝選択項目記憶部１７２に格納された１の設定項目に対応するアイコンを除く最上位の階層にある設定項目に対応するアイコン）を、回数記憶部１７３に格納された回数情報が大きい順に、メニュー画面の予め設定された位置に、選択可能にディスプレイ４に表示するものである。
【００４０】
例えば、メニュー画面が複数の画面で構成され、１の画面に９個のアイコンが表示される場合には、表示制御部１１１は、第１のメニュー画面の中央位置に、選択項目記憶部１７２に格納された１の設定項目に対応するアイコンを表示し、回数記憶部１７３に格納された回数情報が１番目〜８番目に大きい設定項目に対応するアイコンを、第１のメニュー画面に表示する。そして、表示制御部１１１は、回数記憶部１７３に格納された回数情報が９番目〜１７番目に大きい設定項目に対応するアイコンを、第２のメニュー画面に表示し、以降、回数記憶部１７３に格納された回数情報が大きい順に、第３以降のメニュー画面に表示する。
【００４１】
設定項目選択部１１２（設定項目選択手段の一部に相当する）は、ディスプレイ４に表示されたメニュー画面及びリモコン２を介して、ユーザからの操作入力を受け付け、受け付けられた操作入力に基づいて、設定項目の選択を受け付けるものである。
【００４２】
具体的には、設定項目選択部１１２は、階層構造化された複数の設定項目の内、メニュー画面に表示されたアイコンの選択を受け付けることによって、最上位の階層にある設定項目の選択を受け付け、メニュー画面に表示された文字情報を選択することによって、第２階層以降の設定項目（＝最上位の階層以外の設定項目）の選択を受け付けるものである。
【００４３】
選択項目更新部１１３（選択項目更新手段に相当する）は、設定項目選択部１１２によって、設定項目の選択が受け付けられた場合に、選択された設定項目が含まれる最上位の階層にある１の設定項目の識別情報を選択項目記憶部１７２に格納するものである。すなわち、選択項目更新部１１３は、メニュー画面を介して前回選択された設定項目が含まれる最上位の階層にある１の設定項目の識別情報を選択項目記憶部１７２に格納するものである。
【００４４】
回数更新部１１４（回数更新手段に相当する）は、設定項目選択部１１２によって、設定項目の選択が受け付けられた場合に、選択された設定項目に対応する回数情報（＝選択された設定項目が含まれる最上位の階層にある設定項目に対応する回数情報）を更新し、回数記憶部１７３に格納するものである。
【００４５】
図３は、本発明に係るＨＤＤレコーダ１（主に、マイクロプロセッサ１１）の動作の一例を示すフローチャートである。まず、表示制御部１１１によって、メニュー画面を表示する旨の操作入力が受け付けられたか否かの判定が行われる（Ｓ１０１）。メニュー画面を表示する旨の操作入力が受け付けられていない場合（Ｓ１０１でＮＯ）には、処理が待機状態とされる。メニュー画面を表示する旨の操作入力が受け付けられた場合（Ｓ１０１でＹＥＳ）には、表示制御部１１１によって、選択項目記憶部１７２に格納された１の設定項目の識別情報が読み出される（Ｓ１０３）。そして、表示制御部１１１によって、ステップＳ１０３で読み出された１の設定項目に対応するアイコンの画像情報がアイコン記憶部１７１から読み出されて、メニュー画面の中央位置に配置される（Ｓ１０５）。
【００４６】
次に、表示制御部１１１によって、回数記憶部１７３に格納された回数情報が読み出されて（Ｓ１０７）、回数記憶部１７３に格納された回数情報が大きい順に、メニュー画面の予め設定された位置に、選択可能にディスプレイ４に表示される（Ｓ１０９）。そして、設定項目選択部１１２によって、アイコンの選択（＝最上位の階層にある設定項目の選択）が受け付けられ（Ｓ１１１）、順次下位の階層に含まれる設定項目の選択が受け付けられた後、設定項目の設定が受け付けられる（Ｓ１１３）。
【００４７】
そして、選択項目更新部１１３によって、ステップＳ１１３において設定された設定項目が含まれる最上位の階層にある１の設定項目の識別情報が選択項目記憶部１７２に格納される（Ｓ１１５）。次いで、回数更新部１１４によって、ステップＳ１１３において設定された設定項目が含まれる最上位の階層にある１の設定項目に対応する回数情報が更新されて、回数記憶部１７３に格納され（Ｓ１１７）、処理が終了される。
【００４８】
図４は、図３に示すフローチャートのステップＳ１０９及びステップＳ１１１においてディスプレイ４にそれぞれ表示されるメニュー画面の一例を示す画面図である。（ａ）は、図３に示すフローチャートのステップＳ１０９においてディスプレイ４に表示されるメニュー画面９００である。メニュー画面９００には、アイコン表示部９０１〜９０９が格子状に９個配置されている。アイコン表示部９０１〜９０９は、アイコン記憶部１７１に格納された最上位の階層にある設定項目に対応するアイコンの画像情報をアイコンとして選択可能に表示するものである。
【００４９】
例えば、アイコン表示部９０１には、初期設定を示すアイコン（ここでは、スパナの画像を有するアイコン）が表示されている。また、アイコン表示部９０１〜９０９は、選択状態にある場合には周囲の輪郭線が太線で表示されている。ここでは、アイコン表示部９０１の周囲の輪郭線が太線で表示され、アイコン表示部９０１が選択状態にあることを示している。
【００５０】
（ｂ）は、図３に示すフローチャートのステップＳ１１１において、（ａ）に示すメニュー画面９００のアイコン表示部９０１が選択された場合に、ディスプレイ４に表示されるメニュー画面９１０である。メニュー画面９１０には、画面左上端に、項目表示部９１１が表示され、その他の位置には、図４（ａ）に示すアイコン表示部９０２〜９０９にそれぞれ対応するアイコン表示部９１２〜９１９が格子状に表示されている。項目表示部９１１は、アイコン表示部９０１に対応する最上位の階層にある設定項目（ここでは、初期設定）の下位にある設定項目が文字情報として選択可能表示するものであって、ここでは、上から順に、「言語設定」、「時計設定」、「チャンネル設定」の３項目が選択可能に表示されている。そして、選択された項目は、太字で大きく表示され、ここでは、「時計設定」が選択状態であることを示している。
【００５１】
図５は、図３に示すフローチャートのステップＳ１１３及びステップＳ１０９においてディスプレイ４にそれぞれ表示される設定画面及びメニュー画面の一例を示す画面図である。（ａ）は、図３に示すフローチャートのステップＳ１１３においてディスプレイ４に表示される時計設定画面９２０である。時計設定画面９２０は、図３に示すフローチャートのステップＳ１１１において、図４（ｂ）に示すメニュー画面の項目表示部９１１に表示された「時計設定」が選択された場合に表示される画面である。時計設定画面９２０には、画面略中央部に、左側から順に、年表示部９２１、月日表示部９２２、時分表示部９２３が表示されている。年表示部９２１、月日表示部９２２、時分表示部９２３は、それぞれ、リモコン２を介して、受け付けられた年情報、月日情報、及び、時分情報を表示するものである。
【００５２】
（ｂ）は、図３に示すフローチャートのステップＳ１１３において（ａ）に示す時計設定画面９２０を介して時計設定が行われた場合に、次回の図３に示すフローチャートのステップＳ１０９において表示されるメニュー画面９３０である。メニュー画面９３０には、アイコン表示部９３１〜９３９が格子状に９個配置されている。アイコン表示部９３１〜９３９は、アイコン記憶部１７１に格納された最上位の階層にある設定項目に対応するアイコンの画像情報をアイコンとして選択可能に表示するものである。
【００５３】
ここでは、アイコン表示部９３５には、選択項目記憶部１７２に格納された（＝前回の設定において選択された設定項目（＝時計設定）が含まれる最上位の階層にある）１の設定項目（ここでは、初期設定）に対応するアイコン（＝スパナの画像を有するアイコン）が表示されている。また、アイコン表示部９３５の周囲の輪郭線が太線で表示され、アイコン表示部９３５が選択状態にあることを示している。すなわち、メニュー画面９３０には、画面中央位置に、前回の設定において選択された設定項目が含まれる最上位の階層にある１の設定項目に対応するアイコン（ここでは、アイコン表示部９３５）が表示されると共に、このアイコンが選択された状態で表示されるものである。
【００５４】
このようにして、アイコン情報が予めアイコン記憶部１７１に格納されており、リモコン２を介して、ユーザから各種設定を行うメニュー画面を表示する旨の操作入力が受け付けられて、階層構造化された複数の設定項目の内、最上位の階層にある設定項目に対応するアイコンが、アイコン記憶部１７１から読み出されて、予め設定された順序に従って、選択可能にディスプレイ４に表示される。そして、メニュー画面及びリモコン２を介して、ユーザからの操作入力が受け付けられ、受け付けられた操作入力に基づいて、設定項目の選択が受け付けるため、利便性良好に各種設定を行うことができる。
【００５５】
すなわち、メニュー画面９００（図４（ａ）参照）として、階層構造化された複数の設定項目の内、最上位の階層にある設定項目に対応するアイコンが、予め設定された順序に従って、選択可能にディスプレイ４に表示されるため、メニュー画面９００での設定項目の選択が容易となるので、利便性良好に各種設定を行うことができるのである。
【００５６】
また、設定項目の選択が受け付けられた場合に、選択された設定項目が含まれる最上位の階層にある１の設定項目の識別情報が選択項目記憶部１７２に格納され、選択項目記憶部１７２に格納された１の設定項目に対応するアイコンが、メニュー画面９３０（図５（ｂ）参照）の略中央位置に表示されるため、更に利便性良好に各種設定を行うことができる。
【００５７】
すなわち、メニュー画面９００（図４（ａ）参照）を介して前回行われた設定操作において選択された設定項目が含まれる最上位の階層にある１の設定項目に対応するアイコンが、メニュー画面９３０（図５（ｂ）参照）の略中央位置に表示されるため、再度同じ設定項目を選択する場合に、設定項目の選択が容易となるので、更に利便性良好に設定項目を選択することができるのである。
【００５８】
更に、最上位の階層にある設定項目毎に、選択された回数を示す回数情報が回数記憶部１７３に格納されると共に、設定項目の選択が受け付けられた場合に、選択された設定項目に対応する回数情報が更新され、回数記憶部１７３に格納される。そして、最上位の階層にある設定項目に対応するアイコンが、回数記憶部１７３に格納された回数情報が大きい順に、メニュー画面９００（図４（ａ）参照）の予め設定された位置に、選択可能にディスプレイ４に表示されるため、更に利便性良好に設定項目を選択することができる。
【００５９】
すなわち、最上位の階層にある設定項目に対応するアイコンが、使用頻度を示す回数情報が大きい順に（＝使用頻度が高い順に）、メニュー画面９００（図４（ａ）参照）の予め設定された位置に、選択可能にディスプレイ４に表示されるため、使用頻度の高い項目に対応するアイコンを、メニュー画面において選択の容易な位置に表示することによって、使用頻度の高い項目を容易に選択することができるので、更に利便性良好に設定項目を選択することができるのである。
【００６０】
なお、本発明は、以下の形態にも適用可能である。
（Ａ）本実施形態では、映像情報再生装置がＨＤＤレコーダ１である場合について説明したが、映像情報再生装置が、ＤＶＤを含む記録媒体に格納された映像情報を再生しモニタに表示する装置であればよい。例えば、映像情報再生装置がＤＶＤプレイヤである形態でもよい。
【００６１】
（Ｂ）本実施形態では、マイクロプロセッサ１１が表示制御部１１１、設定項目選択部１１２、選択項目更新部１１３、及び、回数更新部１１４として機能する場合について説明したが、少なくとも１の機能部が回路によって実現されている形態でもよい。
【００６２】
（Ｃ）本実施形態では、表示制御部１１１が、メニュー画面９００（図４（ａ）参照）として９個のアイコン表示部９０２〜９０９を表示する場合について説明したが、表示制御部１１１が、メニュー画面９００として、最上位の階層にある設定項目の内、複数の設定項目に対応するアイコン表示部を表示する形態であればよい。
【００６３】
（Ｄ）本実施形態では、表示制御部１１１が、選択項目記憶部１７２に格納された１の設定項目に対応するアイコンをメニュー画面９３０（図５（ｂ）参照）の中央位置に表示する場合について説明したが、表示制御部１１１が、選択項目記憶部１７２に格納された１の設定項目に対応するアイコンをメニュー画面９００の予め設定された位置に表示する形態であればよい。例えば、表示制御部１１１が、選択項目記憶部１７２に格納された１の設定項目に対応するアイコンをメニュー画面９００の左上隅の位置に表示する形態でもよい。
【図面の簡単な説明】
【００６４】
【図１】は、本発明に係るＨＤＤレコーダの構成の一例を示すブロック図である。
【図２】は、本発明に係るＨＤＤレコーダにおける主要部の構成の一例を示す機能構成図である。
【図３】は、本発明に係るＨＤＤレコーダ（主に、マイクロプロセッサ）の動作の一例を示すフローチャートである。
【図４】は、図３に示すフローチャートのステップＳ１０９及びステップＳ１１１においてディスプレイにそれぞれ表示されるメニュー画面の一例を示す画面図である。
【図５】は、図３に示すフローチャートのステップＳ１１３及びステップＳ１０９においてディスプレイにそれぞれ表示される設定画面及びメニュー画面の一例を示す画面図である。
【符号の説明】
【００６５】
１    ＨＤＤレコーダ（映像情報再生装置）
１１    マイクロプロセッサ
１１１    表示制御部（表示制御手段の一部）
１１２    設定項目選択部（設定項目選択手段の一部）
１１３    選択項目更新部（選択項目更新手段）
１１４    回数更新部（回数更新手段）
１７    メモリ
１７１    アイコン記憶部（アイコン記憶手段）
１７２    選択項目記憶部（選択項目記憶手段）
１７３    回数記憶部（回数記憶手段）
２    リモコン（表示制御手段の一部、設定項目選択手段の一部）
４    ディスプレイ（モニタ）
【図１】
2008217540.tif 000003
【図２】
2008217540.tif 000004
【図３】
2008217540.tif 000005
【図４】
2008217540.tif 000006
【図５】
2008217540.tif 000007